(57)【要約】【課題】複数のトリミング領域を同時に設定する際に、トリミング領域が考慮しなければならない条件（顔の大きさ、顔の位置、目の位置）を容易に満たすことが出来る印刷装置を提供すること。【解決手段】表示するトリミング枠の大きさを、実サイズの大きさの比率とは異なる大きさに設定することによって、各トリミング枠が満たさなければならない条件をユーザーが満たしやすくする。【選択図】図７
2016158182.tif 000002
【特許請求の範囲】
【請求項１】
外部記憶装置に格納された画像データを読み込む画像読み込み手段と、読み込んだ画像を選択する手段と、読み込んだ画像やその他のメッセージを表示する手段と、読み込んだ画像から印刷する領域を切り出す手段、切り出し領域を複数同時に表示する手段と、各切り出し領域が規定している条件を考慮したレイアウト設定で各切り出し領域を表示する手段と、設定された切り出し領域にしたがって印刷を行う手段と、を有することを特徴とする印刷装置。
【請求項２】
前記各切り出し領域が規定している条件とは、顔の大きさ、顔の位置、目の位置とすることを特徴とする請求項１に記載の印刷装置。
【発明の詳細な説明】
【技術分野】
【０００１】
本発明は、証明写真などの印刷の際に行うトリミングに置いて、異なったアスペクト比のトリミング枠を同時に表示し、その際、各トリミング枠を実サイズとは異なるサイズ比で表示することによって、各トリミング枠に対応する写真規定を満たしやすくする方法に関する。
【背景技術】
【０００２】
近年、デジタルカメラや携帯電話、スマートフォンなどの普及にともない、パスポートやＶＩＳＡなどに使用する証明写真をユーザーが自分で印刷する機会が多くなっている。また、印刷用紙を出来る限り有効に使用するために、用紙１枚に対して１つのアスペクト画像を印刷するのではなく、複数のアスペクトの画像を同一用紙に印刷するニーズが高まっている。
【０００３】
しかし、各画像が満たさなければならない条件（顔の大きさ、顔の位置、目の位置など）が異なっている場合には、その条件を満たすようにトリミング領域を決定することが難しい。
【０００４】
このような問題に対して従来技術では、特許文献１においては複数のトリミング枠に対応する写真が定める顔の位置に、各トリミング枠が収まるように自動的に各トリミング領域を設定することによって、ユーザーが行う各アスペクトのトリミング領域の設定を設定している。
【０００５】
また、特許文献２においてはトリミング枠内の顔の位置が分かるようなガイド線を表示させている。その結果、ユーザーが顔の位置を誤ってトリミング領域を設定することを防いでいる。
【先行技術文献】
【特許文献】
【０００６】
【特許文献１】特開２００７−１９６５７６号公報
【特許文献２】特開２００７−３１２３５号公報
【発明の概要】
【発明が解決しようとする課題】
【０００７】
しかし、特許文献１、２の両手法では、顔の表示位置を満たすことは出来ても、その他の条件（顔の大きさ、目の位置など）は考慮されていないため、顔の表示位置以外の要件を考慮したトリミング領域の設定を行うことが困難である。
【０００８】
本発明の目的は、複数のトリミング領域を同時に設定する際に、トリミング領域が考慮しなければならない条件（顔の大きさ、顔の位置、目の位置）を容易に満たすことが出来る印刷装置を提供することにある。
【課題を解決するための手段】
【０００９】
上記の目的を達成するために、請求項１の印刷装置は、
外部記憶装置に格納された画像データを読み込む画像読み込み手段と、読み込んだ画像を選択する手段と、読み込んだ画像やその他のメッセージを表示する手段と、読み込んだ画像から印刷する領域を切り出す手段、切り出し領域を複数同時に表示する手段と、各切り出し領域が規定している条件を考慮したレイアウト設定で各切り出し領域を表示する手段と、設定された各切り出し領域にしたがって印刷を行う手段と、を有することを特徴とする。
【００１０】
請求項２の印刷装置は、前記各切り出し領域が規定している条件とは、顔の大きさ、顔の位置、目の位置とすることを特徴とする。
【発明の効果】
【００１１】
本発明の印刷装置によれば、複数のトリミング領域を同時に設定する際に、トリミング領域が考慮しなければならない条件（顔の大きさ、顔の位置、目の位置）を容易に満たすことが出来る。
【図面の簡単な説明】
【００１２】
【図１】実施例の印刷装置の構成を示すブロック図である。
【図２】実施例で扱うパスポート申請用写真規格である。
【図３】実施例で扱うＶｉｓａ申請用写真の規格の一例である。
【図４】パスポート用トリミング枠とＶｉｓａ用トリミング枠を同一画面に重ねて表記した場合の構成を表した図である。
【図５】Ｖｉｓａ枠に対する目の高さとＶｉｓａ枠に対するパスポート枠の長さの比率の関係を表した表である。
【図６】Ｖｉｓａ枠における目の高さが３４ｃｍとなるように各トリミング枠のサイズ比を設定したときの図である。
【図７】Ｖｉｓａ枠における目の高さが３２ｃｍとなるように各トリミング枠のサイズ比を設定したときの図である。
【図８】Ｖｉｓａ枠における目の高さが２８ｃｍとなるように各トリミング枠のサイズ比を設定したときの図である。
【図９】Ｖｉｓａ枠における目の高さが３５ｃｍとなるように各トリミング枠のサイズ比を設定したときの図である。
【図１０】実施例の処理フローを示した図である。
【発明を実施するための形態】
【００１３】
以下、本発明を実施するための形態を図面に基づいて説明する。
【００１４】
図１に、本発明を適用可能な印刷装置１００の構成の一例を示す。表示制御装置１００は、コンパクトプリンタなどを用いて構成可能なものである。
【００１５】
図１において、内部バス１５０に対してＣＰＵ１０１、メモリ１０２、不揮発性メモリ１０３、画像処理部１０４、ディスプレイ１０５、操作部１０６、記録媒体Ｉ／Ｆ１０７、外部Ｉ／Ｆ１０９、通信Ｉ／Ｆ１１０が接続されている。内部バス１５０に接続される各部は、内部バス１５０を介して互いにデータのやりとりを行うことができるようにされている。
【００１６】
メモリ１０２は、例えばＲＡＭ（半導体素子を利用した揮発性のメモリなど）からなる。ＣＰＵ１０１は、例えば不揮発性メモリ１０３に格納されるプログラムに従い、メモリ１０２をワークメモリとして用いて、表示制御装置１００の各部を制御する。不揮発性メモリ１０３には、画像データや音声データ、その他のデータ、ＣＰＵ１０１が動作するための各種プログラムなどが格納される。不揮発性メモリ１０３は例えばハードディスク（ＨＤ）やＲＯＭなどで構成される。
【００１７】
画像処理部１０４は、ＣＰＵ１０１の制御に基づいて、不揮発性メモリ１０３や記録媒体１０８に格納された画像データや、外部Ｉ／Ｆ１０９や通信Ｉ／Ｆ１１０を介して取得した画像データなどに対して各種画像処理を施す。画像処理部１０４が行う画像処理には、画像データの符号化処理、デコード処理、拡大／縮小処理（リサイズ）、色変換処理などが含まれる。画像処理部１０４は特定の画像処理を施すための専用の回路ブロックで構成しても良い。また、画像処理の種別によっては画像処理部１０４を用いずにＣＰＵ１０１がプログラムに従って画像処理を施すことも可能である。
【００１８】
ディスプレイ１０５は、ＣＰＵ１０１の制御に基づいて、画像やＧＵＩ（Ｇｒａｐｈｉｃａｌ  Ｕｓｅｒ  Ｉｎｔｅｒｆａｃｅ）を構成するＧＵＩ画面などを表示する。ＣＰＵ１０１は、プログラムに従い表示制御信号を生成し、ディスプレイ１０５に表示するための映像信号を生成してディスプレイ１０５に出力するように表示制御装置１００の各部を制御する。ディスプレイ１０５は出力された画像信号に基づいて画像を表示する。
【００１９】
操作部１０６は、キーボードなどの文字情報入力デバイスや、マウスやタッチパネルといったポインティングデバイス、ボタン、ダイヤル、ジョイスティック、タッチセンサ、タッチパッドなどを含む、ユーザ操作を受け付けるための入力デバイスである。なお、タッチパネルは、ディスプレイ１０５に重ね合わせて平面的に構成され、接触された位置に応じた座標情報が出力されるようにした入力デバイスである。
【００２０】
記憶媒体Ｉ／Ｆ１０７は、メモリーカードなどの記録媒体１０８が装着可能とされ、ＣＰＵ１０１の制御に基づき、装着された記録媒体１０８からのデータの読み出しや、当該記録媒体１０８に対するデータの書き込みを行う。外部Ｉ／Ｆ１０９は、外部機器と有線ケーブルや無線によって接続し、映像信号や音声信号の入出力を行うためのインターフェースである。通信Ｉ／Ｆ１１０は、外部機器と通信して、ファイルやコマンドなどの各種データの送受信を行うためのインターフェースである。
【００２１】
以下、図２〜１０図を参照して、本発明の各実施例を説明する。
【００２２】
＜実施例＞
本実施例では、パスポート申請用とＶｉｓａ申請用のトリミング枠を同時に表示する際の例を述べる。図２はパスポート申請用写真規格を表したものであり、図３はＶｉｓａ申請用の写真規格の一例を表している。本実施例では人の目の垂直位置が、顔の中心にあるものとする。この２つのトリミング枠を同時に表示したものが図４である。またトリミング枠のレイアウトは、見やすさを考慮して両トリミング枠の上端を揃えている。なお、トリミング枠のレイアウトは他の構成でもあっても良い。
【００２３】
図４はパスポート用トリミング枠とＶｉｓａ用トリミング枠を同一画面に重ねて表記した場合の各サイズ比を表した図である。この場合、Ｖｉｓａ枠における目の高さはＶｉｓａ枠の垂直方向のサイズ５００に対して２９０となり、実サイズは２９ｃｍとなる。Ｖｉｓａ用トリミング枠における目の高さは図３が示す通り２９ｃｍであるため、Ｖｉｓａ用の写真規格を満たす目の高さの下限値と等しくなっている。そのため、目の高さが顔の高さの中央よりも下に位置している場合には、Ｖｉｓａ用の写真規格から外れてしまう。そこで、それぞれのトリミング枠の縦横の比率（パスポートが４５：３５、Ｖｉｓａが５０：５０）は保ったまま、パスポート用のトリミング枠とＶｉｓａ用のパスポート枠の大きさの比率を、実サイズとは異なった設定で表示することによって、Ｖｉｓａ枠ににおける目の高さを調整する。
【００２４】
図５はＶｉｓａ枠に対するパスポート枠の長さの比率と、Ｖｉｓａ枠における目の高さの関係を示した図である。目の垂直位置を顔の中心とし、顔の位置を顔枠ガイド線に合わせた画場合、パスポート、Ｖｉｓａが規定する条件を満たすことが出来るＶｉｓａ枠における目の高さの範囲は２９ｃｍ〜３４ｃｍとなる。
【００２５】
図６はＶｉｓａ枠における目の高さが３４ｃｍとなるように各トリミング枠のサイズ比を設定したときの図である。この設定の場合では、目の高さが顔の中心よりも上に位置している場合はパスポート、Ｖｉｓａの両写真規格を満たすことが出来ない。
【００２６】
図７はＶｉｓａ枠における目の高さが３２ｃｍとなるように各トリミング枠のサイズ比を設定したときの図である。この設定の場合、Ｖｉｓａ枠が定める目の高さの範囲の中心に目が位置することになる。人間の目の垂直位置は顔の中心であると考えた本実施例では、本設定が個人差を最大限カバーできる最適な設定となる。
【００２７】
図８はＶｉｓａ枠における目の高さが２８ｃｍとなるように各トリミング枠のサイズ比を設定したときの図である。本設定では、目の位置がＶｉｓａ枠の規定の高さよりも下回ってしまいＶｉｓａ枠の写真規定を満たすことが出来ない。
【００２８】
図９ではＶｉｓａ枠における目の高さが３５ｃｍとなるように各トリミング枠のサイズ比を設定したときの図である。本設定では、目の位置はＶｉｓａ枠の規定を満たすが、顔の大きさが条件を満たすことが出来なくなってしまうため、Ｖｉｓａ両写真規格を満たすことは出来ない。
【００２９】
図１０は本実施例における画像印刷処理のフローチャートである。このフローチャートにおける各処理は、ＣＰＵ１０１が不揮発性メモリ１０３に格納されたプログラムをメモリ１０２に展開して実行することにより実現される。
【００３０】
ステップＳ１００で、ＣＰＵ１０１は、ユーザが選択した画像とアスペクトの異なる２つのトリミング領域をディスプレイ１０５に表示する。
【００３１】
Ｓ１０１で、ＣＰＵ１０１は、ユーザーが選択したアスペクトの異なる２つのトリミング領域を決定する。Ｓ１０１で表示されるトリミング領域は、図７のＶｉｓａ枠における目の高さが３２ｃｍとなるような構成で表示されるため、ユーザーはパスポート、Ｖｉｓａの両写真規格を意識する必要はない。
【００３２】
Ｓ１０２で、ＣＰＵ１０１はＳ１０１で選択した２つの異なるトリミング領域の画像をそれぞれメモリ１０２に記憶する。その後印刷部１１１によってＳ１０２で記憶された画像が印刷される。
【００３３】
以上のように、本実施例によればパスポート用、Ｖｉｓａ用のトリミング枠を同時に表示する場合に、両写真規格を満す写真を容易に印刷することが出来る。
【００３４】
＜他の実施形態＞
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【００３５】
以上説明したように、本発明によれば、プリンタを利用しているユーザーが異なる２つ規格を満たした証明写真を容易に印刷すことが出来る。
【符号の説明】
【００３６】
１００  印刷装置の構成を示すブロック図、１０１  ＣＰＵ、１０２  メモリ、
１０３  不輝発生メモリ、１０４  画像処理部、１０５  ディスプレイ、
１０６  操作部、１０７  記憶媒体Ｉ／Ｆ、１０８  記憶媒体、１０９  外部Ｉ／Ｆ、
１１０  通信Ｉ／Ｆ、１１１  印刷部、１５０  内部バス
【図１】
2016158182.tif 000003
【図２】
2016158182.tif 000004
【図３】
2016158182.tif 000005
【図４】
2016158182.tif 000006
【図５】
2016158182.tif 000007
【図６】
2016158182.tif 000008
【図７】
2016158182.tif 000009
【図８】
2016158182.tif 000010
【図９】
2016158182.tif 000011
【図１０】
2016158182.tif 000012